(57)【要約】【要  約】【課  題】  郵便物収納袋等の包装袋等を封緘する封緘具であって、一旦封緘すると不正な開封を判別することができるように構成され、それによって不正な開封を牽制できる封緘具を提供する。【解決手段】  筒状の雌部３を突出形成した板状部２と、この板状部２の一端から伸長する前記雌部３に挿通可能な紐状の挿通部材７を有する合成樹脂で一体に形成された封緘具であって、前記雌部３は筒孔３Ａの入口３Ｃ側に少なくとも１つの係止爪３Ｂを設け、この係止爪３Ｂを出口３Ｄ方向に傾斜して突出形成し、前記挿通部材７は、所定間隔でビーズ状突起９を有し、このビーズ状突起９は自由端方向に断面積を狭めた傾斜面９Ａと、この傾斜面の反対側に係止面９Ｂとを有し、更に前記板状部２において、前記挿通部材７側の端部と雌部３の間に孔４と、この孔４に向かうスリット５によって板状部２の側部に耳部６を形成すると共に、スリット５の先端部に対向する破断部２Ａを形成した封緘具。【選択図】    図１
2005153927.tif 000002
【特許請求の範囲】
【請求項１】
筒状の雌部３を突出形成した板状部２と、この板状部２の一端から伸長する前記雌部３に挿通可能な紐状の挿通部材７を有する合成樹脂で一体に形成された封緘具であって、
前記雌部３は筒孔３Ａの入口３Ｃ側に少なくとも１つの係止爪３Ｂを設け、この係止爪３Ｂを出口３Ｄ方向に傾斜して突出形成し、前記挿通部材７は、所定間隔でビーズ状突起９を有し、このビーズ状突起９は自由端方向に断面積を狭めた傾斜面９Ａと、この傾斜面の反対側に係止面９Ｂとを有し、更に前記板状部２において、前記挿通部材７側の端部と雌部３の間に孔４と、この孔４に向かうスリット５によって板状部２の側部に耳部６を形成すると共に、スリット５の先端部に対向する破断部２Ａを形成した封緘具。
【請求項２】
前記挿通部材７は、前記ビーズ状突起９より自由端側に逆挿入防止部１１を有する請求項１記載の封緘具。
【請求項３】
前記耳部６の自由端に滑り止めのリブ６Ａを形成した請求項１又は２記載の袋用封緘具。
【請求項４】
前記板状部２に表示部２Ｃを設けた請求項１乃至３記載の封緘具。
【発明の詳細な説明】
【技術分野】
【０００１】
本発明は、特に郵便物収納袋等の包装袋等を封緘する封緘具であって、一旦封緘すると不正な開封を判別することができるように構成され、それによって不正な開封を牽制できる封緘具の改良に関する。
【背景技術】
【０００２】
郵便物収納袋等の包装袋等を封緘する封緘具であって、一旦封緘すると、不正な開封を防止することができるように構成される封緘具は、登録第１１８３８０７号意匠公報（先行文献１）において提案されている。
【０００３】
この封緘具２０は、図６（Ａ）〜（Ｃ）に示すように、雌部２１を端部に有する平板状の表示部２２と、この表示部２２に接続して設けられた、先端に滑り止めリブ２３Ａと中間部に複数の係合部２３Ｂを有する線状のバンド部２３とからなり、バンド部２３を雌部２１の係合孔２１Ａに挿入して係合することにより、ループを形成する表示部付き封緘バンドである。
【０００４】
このループを包装袋の口部に巻き付けた上、バンド部２３の先端を引っ張ることによってループを引き絞り、包装袋の口部を締めつけ、開封不能に封緘することができる。また、表示部２２により、バーコード等の各種のデータを表示できる。
【０００５】
また、郵便物収納袋等の包装袋等を封緘する別のタイプの封緘具であって、一旦封緘すると、不正な開封を判別することができるように構成しようとするものが、特開平８−３３５０４１号公報（先行文献２）において提案されている。
【０００６】
この封緘具３０は、図７（先行文献２においては図１として記載されている）に示すように、平板状の表示板３１と、この表示板３１の上方側の一端部３２に一体的に形成された、抜け止め部３３を有する可撓性の吊り下げ部３５と、前記表示板３１の上方側の他端部に開口された地獄止め孔３６と、この地獄止め孔３６周辺壁部分を破断薄膜３７とした破断操作部３８とから構成される。
【０００７】
この封緘具を使用する場合には、吊り下げ部３５を引っ張って吊り下げ部３５を表示板３１の一方の側部に仮止めしている接続片３９を破断し、吊り下げ部３５を郵袋（図示しない）の口部の周囲にループ状に巻き付けた上、吊り下げ部３５の抜け止め部３３を前記地獄止め孔３６に抜き取り不能に挿入して係止することによって、郵袋を封緘するというものである。
【０００８】
封緘された郵袋を開封しようとする場合は、破断操作部３８を引っ張って破断操作部３８を表示板３１の他方の側部に仮止めしている接続片３９を破断し、更に前記破断薄膜３７を破断して前記地獄止め孔３６を開放し、地獄止め孔３６から吊り下げ部３５の抜け止め部３３を抜き取ることによって吊り下げ部３５を外し、郵袋を開封するというものである。
【０００９】
従って、もし権限がない者が、封緘具を破断して不正に郵袋を開封するならば、当然にその開封は発覚する訳であり、それによって不正に郵袋を開封することを心理的に牽制する効果が期待されるはずであるいうものである。
【００１０】
更に、図示しない第３のタイプの封緘具において、開封手段として帯状の結束バンド（前記の先行文献１のバンド部２３及び先行文献２の吊り下げ部３５に相当するもの）の所定箇所に破断用の孔を設け、開封の際、この孔が設けられた前後の部分をひねって孔の形成によって弱められた部分で結束バンドを破断して開封しようとする構造も提案されている。
【発明の開示】
【発明が解決しようとする課題】
【００１１】
前記先行文献等の３つの封緘具には、それぞれ問題がある。
【００１２】
先ず、先行文献１の封緘具は、強力な封緘が可能ではあるが、開封するには、バンド部２３の強度が強く素手で破断して開封することは不可能であるので、鋏等の刃物を用いて、ループを形成して袋を締めつけているバンド部２３のループを形成している部分を破断する必要がある。その際、袋と、それを強力に締めつけているバンド部との間に、刃物を差し入れるのが相当困難な場合があり、袋や手を傷つける危険性もある。
【００１３】
次に、先行文献２の封緘具は、袋の口部を閉じた吊り下げ部３５が形成するループの大きさが一定であるから構造的に緊縛力がなく、そのため不正な開封を試みる者が、吊り下げ部３５の抜け止め部３３が係合した地獄止め穴３６の破断薄膜３７を破らないように気を付けながら、袋を抜き取り方向に引っ張ることによって、吊り下げ部３５のループから袋の口部を徐々に引き抜き、開封することは決して不可能ではない。そして、袋内の収納物を盗んだ後に、袋の口部を吊り下げ部３５のループ内に差し入れ、破断薄膜３７が破れないように気を付けながら、徐々に引っ張り込むことによって、元通りの状態を装うようにすることも不可能ではない。
【００１４】
従って、先行文献２の封緘具は、緊縛乃至は封緘機能が不十分であると言わざるを得ない。
【００１５】
更に、前記第３のタイプの封緘具の場合は、孔の前後部分のひねりによる破断作業では、実際上なかなか結束バンドの破断が困難であり、そのため相当の力を加えなければならないという問題がある。
【００１６】
そのため、孔の横方向の両側部を特に肉薄に形成して弱体化し、ひねりによる破断を可能にするように構成すると、今度は封緘時に長手方向に加えられる張力によって弱体化した部分が引きちぎれてしまうことが発生するという難点がある。
【００１７】
本発明は、十分強力な緊縛乃至封緘機能を有し、構造が簡単で製造コストが安くすみ、確実な封緘が簡単、容易な作業で可能であり、更に素手による簡単な開封作業が可能な袋用封緘具を提供することを目指すものである。
【課題を解決するための手段】
【００１８】
上記の課題を解決するための本発明に係る封緘具は次のように構成されている。
【００１９】
１）筒状の雌部３を突出形成した板状部２と、この板状部２の一端から伸長する前記雌部３に挿通可能な紐状の挿通部材７を有する合成樹脂で一体に形成された封緘具であって、前記雌部３は筒孔３Ａの入口３Ｃ側に少なくとも１つの係止爪３Ｂを設け、この係止爪３Ｂを出口３Ｄ方向に傾斜して突出形成し、前記挿通部材７は、所定間隔でビーズ状突起９を有し、このビーズ状突起９は自由端方向に断面積を狭めた傾斜面９Ａと、この傾斜面９Ａの反対側に係止面９Ｂとを有し、更に前記板状部２において、前記挿通部材７側の端部と雌部３の間に孔４と、この孔４に向かうスリット５によって板状部２の側部に耳部６を形成すると共に、前記スリット５の先端部に対向する破断部２Ａを形成したことを特徴とする。
【００２０】
２）前記挿通部材７は、前記ビーズ状突起９より自由端側に逆挿入防止部１１を有することを特徴とする。
【００２１】
３）前記耳部６の自由端に滑り止めのリブ６Ａを形成したことを特徴とする。
【００２２】
４）前記板状部２に表示部２Ｃを設けたことを特徴とする。
【発明の効果】
【００２３】
本発明に係る封緘具は、上述した構成によって、構造が簡単で製造コストが安く済み、かつ十分に強力な封緘機能を有すると共に、袋の口部等の封緘作業を簡単、容易に行なうことができる。
【００２４】
更に、封緘具の板状部に形成した孔とこの孔に向かうスリットとによって、板状部に破断部と耳部とを形成したので、耳部を拡開するように引っ張ると、破断部に発生する局部応力によって破断部から孔まで容易に切り裂かれて、板状部が回復不能に破断されるから、袋の口部の封緘は解除されて、素手による開封作業を容易に行なうことができる。
【００２５】
また、たとえ不正に封緘を解除しようともくろむ者が居ても、一旦開封してしまうと封緘具は破壊され封緘の回復は不可能であるため、不正な開封は必ず露顕せざるを得ないので、不正な開封を犯すことに心理的な抵抗、抑制を覚えさせ、その実行を牽制し躊躇させるという効果が期待できる。
【発明を実施するための最良の形態】
【００２６】
図面を参照して、本発明の実施の形態を説明する。
【００２７】
図１は本発明に係る封緘具の正面図、図２は前記図１のＡ−Ａ線拡大断面図、図３はその平面図、図４はその背面図である。
【００２８】
この封緘具１は、薄板状の板状部２と、この板状部２の一端から伸長する紐状の挿通部材７とによって、標準サイズとして全長約２１０ｍｍ、最大幅約６ｍｍと細長く、合成樹脂で一体的に成形されるものである。
（１）先ず、封緘具１の封緘のための構造について、説明する。
【００２９】
板状部２の表面には筒状の雌部３がを突出形成されており、雌部３を貫通する筒孔３Ａ内の一方の開口部３Ｃ側（板状部２側）に、好ましくは４つの係止爪３Ｂが設けられているが、この係止爪３Ｂは上記筒当孔３Ａ内の一方の開口部３Ｃ側の内壁（２段壁の境になる段部）から他方の開口部３Ｄ方向に、相互に距離を狭めるように傾斜して、突出形成されるから（図２）、４つの係止爪３Ｂはそれらの自由端部で相互に接近しており、かつ自由端部は正面視で円弧状に配列されている（図１）。また、係止爪３Ｂは横方向に揺動可能になるように弾力性を帯びている。
【００３０】
挿通部材７は、柔軟性に富む複数の紐部８と、この紐部８より直径の大きい柔軟性に乏しい複数のビーズ状突起９とが、所定間隔で交互に連なっており、更にその自由端側に紐部８と同一又は小さな直径の先端部１０が連なり、先端部１０の自由端は丸みを形成している。そしてこの先端部１０と最先端の前記紐部８乃至ビーズ状突起９との間には、紐部８より直径の大きな逆挿入防止部１１が形成されている。
【００３１】
前記ビーズ状突起９は自由端方向に断面積を狭めた傾斜面９Ａと、この傾斜面の反対側に挿通部材７の長手方向に垂直な係止面９Ｂとを有し、その最大直径は前記雌部３の４つの係止爪３Ｂの自由端が形成する円弧の直径より大きく形成されており、また前記逆挿入防止部１１も前記係止爪３Ｂの自由端が形成する円弧より大きな直径を有している。
【００３２】
以上のように構成されている雌部２と挿通部材７において、雌部２に挿通部材７を挿通する際は、挿通部材７の先端部１０を把持して、その最先端１０Ａの端部を雌部３の筒孔３Ａの一方の開口部（入口）３Ｃから挿入し、筒孔３Ａの他方の開口部３Ｄ（出口）から突き出した先端部１０を把持し直して引っ張ると、挿通部材７の複数のビーズ状突起９は、その前記傾斜面９Ａで雌部３の筒孔３Ａ内の係止爪３Ｂの前記傾斜面を押圧し外側に弾きながら次々と係止爪３Ｂを通過していく。
【００３３】
次に、先端部１０の引っ張り作業を停止すると、係止爪３Ｂを通過した最後尾のビーズ状突起９の前記係止面９Ｂが、弾性力で元の位置に戻った係止爪３Ｂの先端と係合して挿通部材７は後戻り不能になるので、係止片３Ｂとビーズ状突起９はまさにラチェット機能を果たすことになる。
【００３４】
そして雌部２に未挿入の挿通部材７の部分がループを形成することになるが、このループが袋の口部を締付け、封緘するのに用いられるのである。
【００３５】
また、雌部２に挿通部材７を挿通するに当たって、誤って挿通部材７の先端部１０を雌部３の筒孔３Ａの他方の開口部３Ｄから挿入しようとすると、先端部１０の次に形成された前記逆挿入防止部１１が、挿通部材７の長手方向に対し垂直に形成された係止面で雌部３の筒孔３Ａ内の係止爪３Ｂの先端に突き当たるが、係止爪３Ｂはその突出方向に逆らう方向への押圧には抵抗し、それによって揺動又は撓み等を殆ど生じることがないため、挿通部材７のそれ以上の挿入が妨げられるので、誤った方向からの挿入であったことを直ちに知ることができる。また、このとき例え係止爪３Ｂに多少揺動又は撓み等を殆ど生じたとしても、係止爪３Ｂの先端は孔の中央の方向に、孔３Ａを遮る方向に動くだけであるから、挿通部材７のそれ以上の挿入が妨げられる。
【００３６】
上記のような誤った逆方向からの挿入を未然に防止するために、板状部２の裏面の雌部３の筒孔３Ａの一方の開口部３Ｃの付近に、矢印２Ｂを表示して正しい挿入方向を示すようにして置くことが好ましい。
【００３７】
また、挿通部材７の先端部１０に滑り止めの複数のリブ１２を形成しておくことは、袋の口部を挿通部材７のループで強力に締付け、封緘するために、手作業で強い把持力、強い引っ張り力を発揮させる上で好ましい処置である。
【００３８】
なお、板状部２の挿通部材７の反対側に板状の表示部２Ｃを伸長して形成し、表示部２Ｃに袋に収納した内容物についての情報等を表示するステッカーを貼付したり、直接印字することができるように構成することが好ましい。
【００３９】
図５は、以上の構成の封緘具１で、袋Ａの口部を封緘した状態を示している。
（２）次に、封緘具１の封緘の解除のための構造について、説明する。
【００４０】
前記板状部２において、図１及び３に示されるように、前記挿通部材７側の端部と雌部３と間に、長円状の孔４を設けると共に、板状部２の端部からこの孔４に向かって接近するＶ形に鋭角的に切り欠いた２つのスリット５を形成することによって、前記スリット５の鋭角のＶ形の先端に対向する孔４とスリット５の間の部分（２ヶ所）に破断部２Ａが形成されると共に、板状部２の両側部に２つの耳部６を形成される。
【００４１】
なお、前記スリット５の形状は、先端部が狭められて形成されていることが肝要であり、鋭角のＶ形に限定されることはなく、単なる線状の切れ目であっても、またスリット５が横方向の引っ張りによって直ぐ切り離される程度の薄皮を残すように形成されていても良く、これらの場合は目立たず、第三者に判りにくいという利点がある。また、スリット５を、同様に横方向の引っ張りによって直ぐ切り離されるようなミシン目（連続する小孔）を形成することによって代えることも可能である。
【００４２】
また、前記孔４の形状も、長円に限定されることはない。
【００４３】
そして、好ましくは、前記耳部６の自由端に、手作業による把持のため滑り止めのリブ６Ａを形成する。
【００４４】
以上のように構成された板状部２において、袋の口部を封緘した封緘具１を開封するには、前記両耳部６を把持し、両耳部６の間を拡開するように多少力を入れて左右に引っ張るか、又は上下に捻じりを加えると、両破断部２Ａにおいて局部応力が発生し、両破断部２Ａは孔４まで容易に切り裂かれて、板状部２と挿通部材７の間が破断されるから、挿通部材７のループは解かれて、袋の口部の封緘は解除される。前記破断部２Ａは、開封時の拡開による封緘具１の横方向への引っ張りで発生する大きな局部応力によって破断し易いのである。
【００４５】
しかし、封緘時において封緘具１の長手方向に加えられる引っ張りに対しては、孔４に長手方向に拡がるという形状変化が多少生じるとしても、破断部２Ａ自体は長手方向の引っ張りに対抗する強度を持つと共に局部応力が発生するということは殆どなく、破断することはない。
【００４６】
また、孔４とスリット５の間の部分に、両者４，５を結ぶ線状の凹部を形成して肉薄のとし、横方向に加えられる張力で破断部２Ａに発生する応力による破断を、更に容易にするように構成することもできる。
【００４７】
以上の構成によって、手作業による封緘の解除が極めて容易に行なうことができる。
【００４８】
また、たとえ不正に封緘を解除しようともくろむ者が居ても、一旦開封してしまうと封緘具１は破壊され封緘の回復は不可能であるため、不正な開封は必ず露顕せざるを得ないので、不正な開封を犯すことに心理的な抵抗、抑制を覚えさせ、その実行を牽制し躊躇させるという効果が期待できる。
【図面の簡単な説明】
【００４９】
【図１】本発明の封緘具の正面図である。
【図２】図１のＡ−Ａ線拡大断面図である。
【図３】封緘具の平面図である。
【図４】封緘具の背面図である。
【図５】封緘具で包装袋を封緘した状態を示す説明図である。
【図６】（Ａ）先行文献１の封緘具の正面図である。（Ｂ）前記（Ａ）図のＢ部の拡大図である。（Ａ）先行文献１の封緘具の平面図である。
【図７】先行文献２の封緘具の説明図である。
【符号の説明】
【００５０】
１  封緘具      ２  板状部      ２Ａ  破断部      ２Ｂ  矢印      ２Ｃ  表示部  ３  雌部      ３Ａ  筒孔      ３Ｂ  係止爪      ３Ｃ  開口部（入口）
３Ｄ  開口部（出口）      ４  孔      ５  スリット      ６  耳部
６Ａ  リブ      ７  挿通部材      ８  紐部      ９  雄部      １０  先端部
１１  逆挿入防止部        １２  リブ    
２０  先行文献１の封緘具      ３０  先行文献２の封緘具
【図１】
2005153927.tif 000003
【図２】
2005153927.tif 000004
【図３】
2005153927.tif 000005
【図４】
2005153927.tif 000006
【図５】
2005153927.tif 000007
【図６】
2005153927.tif 000008
【図７】
2005153927.tif 000009